【事件の表示】
　特許第２８５０７３１号「石油燃焼器の放電式点火装置」の請求項１に係る特許に対する特許異議の申立てについて、次のとおり決定する。
【結　論】
　訂正を認める。
　特許第２８５０７３１号の請求項１に係る特許を維持する。
【理　由】
１．手続の経緯
  本件特許第２８５０７３１号の請求項１に係る発明は、平成５年１１月３０日に特許出願され、平成１０年１１月１３日にその発明について特許権の設定登録がなされ、その後、その特許について、特許異議申立人　松下電器産業株式会社より特許異議の申立てがなされ、取消し理由が通知され、その指定期間内である平成１２年２月２２日に訂正請求がなされ、その訂正請求に対して訂正拒絶理由がなされ、その指定期間内である平成１４年２月４日に手続補正書が提出され、さらに補正指令に対して平成１４年７月１８日に手続補正書（方式）が提出されたものである。
　
２．訂正の適否についての判断
（１）訂正の内容
　特許権者が求めている訂正の内容は、平成１４年２月４日に補正され、平成１４年７月１８日に方式補正された平成１２年２月２２日付けの訂正請求書及びそれに添付された訂正明細書の記載からみて、以下のとおりである。
　イ．訂正事項（１）
　願書に添付した明細書（以下、「特許明細書」という。）の請求項１の
「燃焼芯４上昇」を「燃焼芯４を上昇」と訂正する。
　ロ．訂正事項（２）
  特許明細書の請求項１の
　「最大燃焼位置を越えて最大突出位置の間で閉路となり、燃焼芯４が最大燃焼位置を越えて最大突出位置の間で戻しバネ８に抗して」を
「最大燃焼位置を越えて最大突出位置の間で閉路となり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、燃焼芯４が最大燃焼位置を越えて最大突出位置の間で戻しバネ８に抗して」と訂正する。
　ハ．訂正事項（３）
  特許明細書の段落番号【０００８】の
「燃焼芯４上昇」を「燃焼芯４を上昇」と訂正する。
　ニ．訂正事項（４）
  特許明細書の段落番号【０００８】の
　「最大燃焼位置を越えて最大突出位置の間で閉路となり、燃焼芯４が最大燃焼位置を越えて最大突出位置の間で戻しバネ８に抗して」を
「最大燃焼位置を越えて最大突出位置の間で閉路となり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、燃焼芯４が最大燃焼位置を越えて最大突出位置の間で戻しバネ８に抗して」と訂正する。
　ホ．訂正事項（５）
  特許明細書の段落番号【００２４】の
「点火位置な正常」を「点火位置を正常」と訂正する。
  ヘ．訂正事項（６）
　特許明細書の段落番号【００３３】の
  「位置とした」を
「位置とし、一方の放電電極を燃焼芯の側面近傍にのぞませ、他方の放電電極を一方の放電電極の上方で且つ燃焼芯を最大突出位置に上昇せしめたときの燃焼芯の上縁近傍に設けた」と訂正する。
　ト．訂正事項（７）
　特許明細書の段落番号【０００７】の「燃焼芯が」を
「燃焼芯を」と訂正する。
　
（２）訂正の目的の適否、新規事項の有無及び拡張・変更の存否
　イ．訂正事項（１）、（３）、（５）、（７）について
  上記訂正事項（１）、（３）、（５）、（７）はいずれも誤記を訂正するものであり、誤記の訂正を目的とした明細書の訂正に該当し、新規事項の追加に該当せず、実質上特許請求の範囲を拡張し、又は変更するものではない。
  ロ．訂正事項（２）について
  明細書段落【００２１】には、「５・５ａは燃焼芯４の側面或いは上縁部に対向して設けられた放電電極で、一方の放電電極５（プラス側）の先端は上方に折曲げて燃焼位置に上昇した時の燃焼芯４の側面近傍にのぞませ、他方の放電電極５ａ（マイナス側）は燃焼芯４を最大突出位置に上昇せしめた時の燃焼芯４の上縁近傍に設け、放電電極５の先端と間隙を介して対向せしめると良い。」と記載されており、この放電電極の構造が図３、図４及び図５にも記載されている。
  そうしてみると、上記訂正事項（２）は、特許明細書に記載された事項の範囲内において、放電電極５・５ａの配置位置を「放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け」たものに限定したものであるから、特許請求の範囲の減縮に該当するものであり、新規事項の追加に該当せず、また、実質上特許請求の範囲を拡張し、又は変更するものでもない。
　ハ．訂正事項（４）、（６）について
  上記訂正事項（４）、（６）は、上記訂正事項（２）と整合を図るために発明の詳細な説明を訂正するものであるから、明りょうでない記載の釈明を目的とした訂正に該当するものであって、新規事項の追加に該当せず、また、実質上特許請求の範囲を拡張し、又は変更するものでもない。
    
（３）独立特許要件の検討
（本件発明）
　 訂正明細書の請求項１に係る発明（以下、「本件発明」という。）は、訂正明細書の特許請求の範囲の請求項１に記載された次の事項により特定されるとおりのものである。
「【請求項１】　芯内筒１と芯外筒２との間に芯上下軸３の回転によって上下する燃焼芯４を装着し、芯内・外筒１・２の上部に露出した燃焼芯４にのぞませて放電電極５・５ａを取付け、芯上下軸３を回転する芯上下つまみ６の操作時に開閉する点火器スイッチ７と芯上下つまみ６と連係して回転する回動板９とを設け、該回動板９には芯上下軸３を芯下げ方向に駆動する戻しバネ８を取付け、戻しバネ８に抗して回動板９を係止するロック部１０を設けると共に、芯上下つまみ６の消火位置で開路となっている点火器スイッチ７は芯上下つまみ６による燃焼芯４の上昇操作時に閉路となって放電電極５・５ａから放電火花を発生させ、該点火器スイッチ７は点火操作後に開路となる石油燃焼器に於て、芯上下つまみ６はロック部１０を越えて最大燃焼位置よりも更に高い最大突出位置まで燃焼芯４上昇させ、かつ、芯上下軸３を芯下げ方向に駆動する戻しバネ８はロック部１０によって燃焼芯４の最大燃焼位置で芯下げ動作を停止すると共に、前記点火器スイッチ７は消火位置から燃焼芯４の最大燃焼位置の間で開路を維持して、最大燃焼位置を越えて最大突出位置の間で閉路となり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、燃焼芯４が最大燃焼位置を越えて最大突出位置の間で戻しバネ８に抗して燃焼芯４を上昇させながら放電電極５・５ａから放電火花を発生させることを特徴とする石油燃焼器の放電式点火装置。」
　
（引用刊行物）
　本件発明の特許に対して、当審が平成１３年１１月２２日付けで通知した訂正拒絶理由で引用した、
　刊行物１：（実公平２−４５６４０号公報、特許異議申立人　松下電器産　　　　　　　業株式会社が示した甲第１号証）
　刊行物２：（特開昭５８−２１３１２１号公報、特許異議申立人　松下電　　　　　　　器産業株式会社が示した甲第２号証）
　刊行物３：（実願昭５８−１４４４１４号（実開昭６０−５５８７４号）　　　　　　　のマイクロフィルム）
　刊行物４：（実願昭５７−３０６０７号（実開昭５８−１３７２７２号）　　　　　　　のマイクロフィルム ）
には、それぞれ以下の発明が記載されている。　
　イ．刊行物１
　刊行物１には、
「液体燃料燃焼器（ストーブ）筺体に取付けた点火装置基板１７に灯芯調整レバー１を取付けピン２にて揺動自由に枢設すると共に、該基板１７上に作動板５と可動板８とを灯芯調整軸６にて同軸上に枢設し、該作動板５に取付けた微調整板と前記灯芯調整レバー１とを連動板３にて連結する。」（第２欄１２〜１８行）、「前記作動板５の微調整板４寄り位置には基板１７を通してピン２０を立設しており、該作動板５を回動した時基板１７に栓設した揺動板２０１を蹴って消火レバー１８の掛止部１９に掛合するように構成している。そして、前記スイッチＳＷ１の端子ＣとＮＯは夫々電池２２と点火ヒータ２３に直列接続される。
 従って点火する場合には先ず灯芯調整レバー１を矢印方向へ押動することにより連動板３、微調整板４を介して作動板５を灯芯調整軸６と共に矢印方向へ回動し、灯芯を露出し乍ら同軸上の可動板８の屈曲縁９を作動板５の突部７で押して同方へ押上げる。そこで灯芯の露出量が約１２ｍｍ程度に達した時作動板５の突起１０がスイッチＳＷ１の可動接片１２を押してヒータ２３の回路を閉成して灯芯に点火する。更に前記レバー１を同方向へ押し下げると回路は閉成されたまま可動板８は共に回動して、その終局においてピン１６は弧状透孔１１の上端部において掛止板１４の鈎溝部１５によって掛合して保持され、この時のレバー１の動作によって灯芯は２ｍｍ程度余分に露出し、レバー１から手許を釈放すれば可動板８はそのまま残り、作動板５のみが引きばね５１の弾力によって反矢印方向へ或る程度回動し途中で該作動板５のピン２０が掛止部１９に掛合保持され、灯芯は灯芯調整軸６の反転回動によって露出量を約１０ｍｍ程度に減じて平常燃焼状態に至るものである。」（第３欄８〜３７行）ことが記載されている。
　ロ．刊行物２
　刊行物２には、
「４９は本発明点火装置にとっては必須の構成である放電用の点火プラグで第４図に示す如く芯外筒３６の載置部３８外方から内、外炎筒３０，３１間内に臨設されている。」（第３頁右上欄１２〜１５行）こと、「放電は芯４２の上端がハ点（つまり載置部３８と同一位置）近くまではピン５０から最短距離にある内炎筒３０のａ点に向かって行われるが、芯４２の上端が上昇してピン５０付近まで来ると、芯４２が絶縁体に近いこともあってピン５０からは放電は芯４２をさける如く放電位置がｂ点方向に上昇移動していく。従って放電は常に芯４２の上端部分を通過する如く行われることになり、点火時間の短縮に役立つ。」（第４頁左上欄１６〜同右上欄４行）こと、「以後、芯４２の上端が最高位置イ点まで上昇する間は、カム６２の大径部６２ａがピン８０と摺接して可動板６４を押し下げスイッチ７５をオンし続け、既述の如く放電を持続する。」（第６頁右上欄７〜１０行）こと、「従って、芯４２の上端がハ点から上昇し始める段階から放電を開始し、芯の上昇と共にその上端を通過する如く放電させることによって、放電による点火時間を短縮することができたと考えられる。なお、芯４２がイ点に達するまでに放電を開始した場合、その周囲の空気に上昇気流を生じさせたり、その他の現象を生じさせることも点火時間の短縮に関連している可能性がある。　（中略）　電源電圧が２Ｖ〜２．４Ｖ程度に下がっても充分放電点火が可能である。」（第６頁左下欄６行〜同頁右下欄５行）こと、「放電ピン２個を芯４２の周方向若しくは軸方向に設け、このピン間で放電して点火するようにしてもよい。」（第７頁右上欄４〜６行）ことが図面と共に記載されている。
　ハ．刊行物３
　刊行物３には、「この第１図及び第２図において、１は円筒状を成す芯２は芯１上部に設けられたスパークプラグである。このスパークプラグ２は、先端が芯１上部に位置する上部電極３と、先端が芯１の側部に位置する下部電極４とを有しており、この両電極３，４間に放電が生じ、この放電の火花が芯１の上端面を通過することによって点火が行われる。」（明細書１頁１９行〜２頁７行）ことが図面と共に記載されている。
　ニ．刊行物４
　刊行物４には、「芯の露出部に対応する位置に点火プラグを臨設し、この点火プラグの放電電極からの放電により、上記芯に点火するように成した石油燃焼器において、上記点火プラグを上記芯と離間して設け、上記放電電極の先端を、上記芯の最上位置における芯上端より上方に位置させたことを特徴とする石油燃焼器の点火装置。」実用新案登録請求の範囲）の点が図面と共に記載されている。
　
（対比、判断）
　本件発明と、刊行物１に記載された発明を対比すると、刊行物１に記載された発明の、「外筒」、「灯芯調整軸」、「灯芯」、「灯芯調整レバー」、「スイッチＳＷ１」、「作動板」、「引きバネ５１」、「ピン２０と掛止部１９」は、本件発明の「芯外筒」、「芯上下軸」、「燃焼芯」、「芯上下つまみ」、「点火器スイッチ」、「回動板」、「戻しバネ」、「ロック部」に相当する。
　そして、上記刊行物１には、符号は付されていないが、灯芯２４の外筒２５側と反対の側に内筒に相当する筒が、図５に記載されている。
　また、刊行物１の、灯芯が１２ｍｍ程度より更に２ｍｍ余分に露出した位置、即ち灯芯の露出量が１４ｍｍ程度の位置と、本件発明の「最大突出位置」とは、両者の記載全体からみて、同じ位置を指していると言える。
　よって、両者は、「芯内筒と芯外筒との間に芯上下軸の回転によって上下する燃焼芯を装着し、芯内・外筒の上部に露出した燃焼芯にのぞませて点火器を設け、芯上下軸を回転する芯上下つまみの操作時に開閉する点火器スイッチと芯上下つまみと連係して回転する回動板とを設け、該回動板には芯上下軸を芯下げ方向に駆動する戻しバネを取付け、戻しバネに抗して回動板を係止するロック部を設けると共に、芯上下つまみの消火位置で開路となっている点火器スイッチは芯上下つまみによる燃焼芯の上昇操作時に閉路となって点火部を作動させ、該点火器スイッチは点火操作後に開路となる石油燃焼器に於て、芯上下つまみはロック部を越えて通常燃焼位置よりも更に高い最大突出位置まで燃焼芯を上昇させ、かつ、芯上下軸を芯下げ方向に駆動する戻しバネはロック部によって燃焼芯の通常燃焼位置で芯下げ動作を停止すると共に、前記点火器スイッチは消火位置から燃焼芯の前記芯下げ動作を停止する通常燃焼位置の間で開路を維持して、前記芯下げ動作を停止する通常燃焼位置を越えて最大突出位置の間で閉路となり、燃焼芯が前記芯下げ動作を停止する通常燃焼位置を越えて最大突出位置の間で戻しバネに抗して燃焼芯を上昇させながら点火器を作動させる石油燃焼器の点火装置」の点で一致するが、次のａ、ｂの点で相違する。
　ａ．本件発明が、芯下げ動作を停止する通常燃焼位置が最大燃焼位置であるのに対して、刊行物１には、芯下げ動作を停止する灯芯の露出量が１０ｍｍの通常燃焼位置が最大燃焼位置であるかどうかについては記載がない点。
　ｂ．本件発明が、燃焼芯を上昇させながら放電電極から放電火花を発生させる、放電電極による点火器であり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設ける構成であるのに対して、刊行物１に記載された発明はヒータによる点火器であり、この放電電極の構成がない点。
　以下、相違点ａ、ｂについて検討する。
（相違点ａについて）
　上記刊行物１の「そこで灯芯の露出量が約１２ｍｍ程度に達した時作動板５の突起１０がスイッチＳＷ１の可動接片１２を押してヒータ２３の回路を閉成して灯芯に点火する。更に前記レバー１を同方向へ押し下げると回路は閉成されたまま可動板８は共に回動して、その終局においてピン１６は弧状透孔１１の上端部において掛止板１４の鈎溝部１５によって掛合して保持され、この時のレバー１の動作によって灯芯は２ｍｍ程度余分に露出し、レバー１から手許を釈放すれば可動板８はそのまま残り、作動板５のみが引きばね５１の弾力によって反矢印方向へ或る程度回動し途中で該作動板５のピン２０が掛止部１９に掛合保持され、灯芯は灯芯調整軸６の反転回動によって露出量を約１０ｍｍ程度に減じて平常燃焼状態に至るものである。」（第３欄２２〜３７行）の記載からみて、灯芯の露出量が１０ｍ〜１２ｍｍ程度に間に最大燃焼位置が存在すると理解されるが、点火後に露出量を約１０ｍｍ程度に減じて平常燃焼状態に至るものであることから、この位置を最大燃焼位置とすることは当業者が容易に想到し得たことである。
（相違点ｂについて）
　上記刊行物２には、燃焼芯を上昇させながら放電電極から放電火花を発生させる石油燃焼装置の点火装置が記載されている。また、刊行物２には、「放電ピン２個を芯４２の周方向若しくは軸方向に設け、このピン間で放電して点火するようにしてもよい。」（第７頁右上欄４〜６行）の記載からみて、放電電極の一方の放電電極を燃焼芯４の側面近傍に設け、他方の放電電極を一方の放電電極５の上方に設けた放電電極が示唆されており、このような石油燃焼器用点火器の放電電極において、他方の電極を燃焼芯の上縁近傍に設けた点は周知（例えば、刊行物３、４を参照）であり、放電電極の構造自体は格別なものではない。
　しかしながら、刊行物２乃至４に記載の点火装置は、いずれも通常燃焼の最大燃焼位置までしか灯芯を上昇させないものであり、通常燃焼の最大燃焼位置を越え最大突出位置に至る過程で放電火花を発生させ、点火後は最大燃焼位置まで下げることは記載されていないし、示唆もされていない。
　そして、刊行物１には、通常燃焼の最大燃焼位置を超える位置で点火する点が記載されているものの、これは点火ヒータ方式によるものであって、本件発明のような放電方式によるものではない。
　一般的に、この点火ヒータ方式では、燃焼芯に近接してヒータを配置した状態で燃焼芯を上昇させると、燃焼芯から延びる繊維がヒータに引っ掛かってヒータが断線する恐れがあるため、燃焼芯の芯上げが完了するまでは、ヒータを燃焼芯よりも離れた待機位置に待機させ、燃焼芯の芯上げが完了した後にヒータを燃焼芯に近付けて点火動作を行う（例えば、特開平３−６３４１８号公報、特公昭５７−２０５２８号公報、特開平４−９５１８号公報、実公平４−４９４８８号公報参照）。このような構成では、ヒータの断線を防止できるだけでなく、ヒータを燃焼芯により近付けた状態で点火を行えるため、着火ミスを防ぐことができる。これに対して刊行物１に記載の構造では、ヒータを燃焼芯からある程度離して配置する必要がある。そのため燃焼芯が上昇している間の通電では、燃焼芯の上昇に伴い被加熱部分が移動してしまうこともあって、それほど燃焼芯を加熱することはできず、また、燃焼芯が停止した状態で、しかもある程度長い時間ヒータに通電することで着火するものと考えられる。
　してみると、刊行物１に記載された点火装置において、芯を上昇させながら点火動作するのは、芯を上昇させながら着火することを目的としているのではなく、点火動作を芯の上昇中に早めに開始することを意図するものと考えるのが妥当である。
　これに対して、本件発明の放電電極方式では、灯芯の先端部が最大突出位置に達するまでの間、一対の電極間にある灯芯の表面部分には放電火花が飛び、この放電火花により灯芯の先端部は加熱され続ける状態になり、そして灯芯の先端部は、最大燃焼位置よりも新鮮な空気が流れ込んでくる最大突出位置へと上昇し、その結果、電源電圧が低下して放電火花が弱くなっている場合でも、灯芯の先端部の温度上昇と酸素濃度とがマッチングした位置で着火・点火を成功するできるものである。
　このように刊行物１に記載された燃焼芯の移動動作と、本件発明における燃焼芯の移動動作とは、異なる目的を達成するするために実施されるものである。
　したがって、先に述べたように、放電方式の点火方式において、通常の最大燃焼位置を超え最大突出位置に至る過程で放電火花を発生させ点火するものが刊行物２乃至４のいずれにも記載されていないし、その目的が異なる刊行物１に記載の加熱ヒータ方式を放電電極方式に適用して本件発明のように構成することは当業者が容易になし得ることではない。
　そして、本件発明は、上記構成要件を有することにより、「この発明は電源電圧が低下して放電火花が弱くなった時に、点火の確実性を向上する為に、点火操作時には通常の燃焼位置よりも燃焼芯４が高く上昇できるようにして、放電電極５・５ａによる点火位置を高くしたもので、点火位置に空気が流れ込み易くなって、燃焼筒が可動しない時のように新鮮な空気が入りにくい状態であっても、確実に着火できるようになったものである。」（段落【００１０】）、「この構造とすることによって燃焼芯４は正常燃焼ができる最大燃焼位置よりも高い芯高さで着火操作が行なわれ、当然放電電極５・５ａの取付位置は芯内・外筒１・２の受部から上方に離れることができるので、燃焼筒１４のような狭い空間であっても、放電火花の下部に空気が流入し易くなるものである。」（段落【００２６】）、「そして、使い古した乾電池などのように電源電圧が降下した時には、放電火花のエネルギーが弱い為に、放電火花の周囲が白い石油蒸気に覆われて着火できなくなるが、この発明では放電火花によって放電電極５・５ａの付近のガスが暖められることによって、上昇するガス流が生まれて放電火花の下部にスムーズに空気が流入できる構造としたから、白い石油蒸気は上方へ流れて石油ガスが薄められ、石油ガスと空気は点火に最適な混合比が得られるから、着火が確実に行なわれるものである。」（段落【００２７】）という、明細書に記載の効果を奏するものと認められ、上記刊行物１乃至４に記載の発明に基いて当業者が容易に発明をすることができたものではない。
　
　したがって、本件発明は、出願の際、独立して特許を受けることができない発明であるとすることはできない。
     　
（４）むすび
  以上のとおりであるから、上記訂正は特許法等の一部を改正する法律（平成６年法律第１１６号。）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
     　
３．特許異議の申立てについての判断
（１）本件発明
  本件発明は、上記２．（３）（本件発明）に示したように、訂正明細書の特許請求の範囲の請求項１に記載された事項により特定されるとおりのものである。
     　
（２）特許異議申立ての概要
　特許異議申立人　松下電器産業株式会社は、証拠として甲第１号証（実公平２−４５６４０号公報、上記刊行物１と同じ）、甲第２号証（特開証５８−２１３１２１号公報、上記刊行物２と同じ）を提出して、本件発明は、甲第１号証、甲第２号証に記載された発明に基づいて当業者が容易に発明をすることができたものであるから、本件特許の特許明細書の請求項１に係る発明についての特許は、特許法第２９条第２項の規定に違反してなされたものであるから取り消されるべき旨の主張をしている。 　
     
（３）判断
　本件発明は、上記２．（３）（対比判断）で判断した理由のとおり、異議申立人松下電器産業株式会社が提出した甲第１、２号証に記載された発明及び前記周知技術に基いて当業者が容易に発明をすることができたものではない。
     　
４．むすび
　以上のとおりであるから、特許異議の申立ての理由及び証拠によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
  よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月１日（２００２．８．１）
【訂正の要旨】
訂正の要旨
イ．訂正事項（１）
　願書に添付した明細書（以下、「特許明細書」という。）の請求項１の
「燃焼芯４上昇」を「燃焼芯４を上昇」と訂正する。
ロ．訂正事項（２）
　特許明細書の請求項１の
　「最大燃焼位置を越えて最大突出位置の間で閉路となり、燃焼芯４が最大燃焼位置を越えて最大突出位置の間で戻しバネ８に抗して」を
「最大燃焼位置を越えて最大突出位置の間で閉路となり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、燃焼芯４が最大燃焼位置を越えて最大突出位置の間で戻しバネ８に抗して」と訂正する。
ハ．訂正事項（３）
　特許明細書の段落番号１０００８】の
「燃焼芯４上昇」を「燃焼芯４を上昇」と訂正する。
ニ．訂正事項（４）
　特許明細書の段落番号【０００８】の
　「最大燃焼位置を越えて最大突出位置の間で閉路となり、燃焼芯４が最大燃焼位置を越えて最大突出位置の間で戻しバネ８に抗して」を
「最大燃焼位置を越えて最大突出位置の間で閉路となり、放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、燃焼芯４が最大燃焼位置を越えて最大突出位置の間で戻しバネ８に抗して」と訂正する。
ホ．訂正事項（５）
　特許明細書の段落番号【００２４】の
「点火位置な正常」を「点火位置を正常」と訂正する。
ヘ．訂正事項（６）
　特許明細書の段落番号【００３３】の
　「位置とした」を
「位置とし、一方の放電電極を燃焼芯の側面近傍にのぞませ、他方の放電電極を一方の放電電極の上方で且つ燃焼芯を最大突出位置に上昇せしめたときの燃焼芯の上縁近傍に設けた」と訂正する。
ト．訂正事項（７）
　特許明細書の段落番号【０００７】の「燃焼芯が」を
「燃焼芯を」と訂正する。
（５４）【発明の名称】
石油燃焼器の放電式点火装置
（５７）【特許請求の範囲】
　【請求項１】　芯内筒１と芯外筒２との間に芯上下軸３の回転によって上下する燃焼芯４を装着し、芯内・外筒１・２の上部に露出した燃焼芯４にのぞませて放電電極５・５ａを取付け、芯上下軸３を回転する芯上下つまみ６の操作時に開閉する点火器スイッチ７と芯上下つまみ６と連係して回転する回動板９とを設け、該回動板９には芯上下軸３を芯下げ方向に駆動する戻しバネ８を取付け、戻しバネ８に抗して回動板９を係止するロック部１０を設けると共に、芯上下つまみ６の消火位置で開路となっている点火器スイッチ７は芯上下つまみ６による燃焼芯４の上昇操作時に閉路となって放電電極５・５ａから放電火花を発生させ、該点火器スイッチ７は点火操作後に開路となる石油燃焼器に於て、芯上下つまみ６はロック部１０を越えて最大燃焼位置よりも更に高い最大突出位置まで燃焼芯４を上昇させ、かつ、芯上下軸３を芯下げ方向に駆動する戻しバネ８はロック部１０によって燃焼芯４の最大燃焼位置で芯下げ動作を停止すると共に、前記点火器スイッチ７は消火位置から燃焼芯４の最大燃焼位置の間で開路を維持して、最大燃焼位置を越えて最大突出位置の間で閉路となり、
放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、
【発明の詳細な説明】
　【０００１】
　【産業上の利用分野】
　本発明は、放電を利用して燃焼芯に点火するようにした石油燃焼器の放電式点火装置に関するものである。
　【０００２】
　【従来の技術】
　石油燃焼器の点火装置としては、細いフィラメントに、乾電池による電気を流して、フィラメントを赤熱させ、燃焼芯に着火させるものが一般的である。
　【０００３】
　乾電池を電源とするものは商品化されていないが、燃焼芯を挾んで点火用の放電電極を設け、放電火花を利用して燃焼芯に点火する技術は公知である（実公昭６３−３５２４４号・特開昭５６−４６９２８号・特開昭５８−２１３１２１号参照）。
　【０００４】
　そして、特開昭５６−４６９２８号・特開昭５８−２１３１２１号は乾電池を電源として、点火用の放電電極の先端を芯の内部に臨ませ、内炎筒との間で、燃焼芯を挾んで放電火花を発生させて燃焼芯に点火する技術が開示されており、この実施例の点火装置では、芯内・外筒の間隙から突出した燃焼芯が通常燃焼時の芯高さまで上昇する間に、連続して放電火花が発生する構成となっている。
　【０００５】
　【発明が解決しようとする課題】
　本発明は、上記従来の技術のうち、後者の乾電池を利用して放電電極を使って燃焼芯に点火するものに関する。乾電池を使うものは、家庭用の交流電源を利用するもののように強力な放電による火花が得にくい問題点があり、乾電池は新品の時とある程度使用した後とは大きな電圧変動があって電圧が安定せず、火花が弱くなる問題点がある。
　【０００６】
　更に、燃焼時間が経過して燃焼芯は劣化してくると、燃焼芯の高さが変化したり、強度が弱くなったり、タールが付着するなどによって燃焼芯表面に微妙な変化が発生したりするものであり、また、工場出荷時にセットした燃焼芯と放電電極との寸法が若干ズレたりすることがあり、着火する為の燃焼芯の側にも問題点が多い。
　【０００７】
　放電式の点火装置がスムースに着火する為の提案である特開昭５６−４６９２８号・特開昭５８−２１３１２１号は、燃焼芯
を
　【０００８】
　【課題を解決するための手段】
　本発明は、上記課題を解決する為、芯内筒１と芯外筒２との間に芯上下軸３の回転によって上下する燃焼芯４を装着し、芯内・外筒１・２の上部に露出した燃焼芯４にのぞませて放電電極５・５ａを取付け、芯上下軸３を回転する芯上下つまみ６の操作時に開閉する点火器スイッチ７と芯上下つまみ６と連係して回転する回動板９とを設け、該回動板９には芯上下軸３を芯下げ方向に駆動する戻しバネ８を取付け、戻しバネ８に抗して回動板９を係止するロック部１０を設けると共に、芯上下つまみ６の消火位置で開路となっている点火器スイッチ７は芯上下つまみ６による燃焼芯４の上昇操作時に閉路となって放電電極５・５ａから放電火花を発生させ、該点火器スイッチ７は点火操作後に開路となる石油燃焼器に於て、芯上下つまみ６はロック部１０を越えて最大燃焼位置よりも更に高い最大突出位置まで燃焼芯４
を
放電電極５・５ａの一方の放電電極５を燃焼芯４の側面近傍にのぞませ、他方の放電電極５ａを一方の放電電極５の上方で且つ燃焼芯４を最大突出位置に上昇せしめたときの燃焼芯４の上縁近傍に設け、
　【０００９】
　【作用】
　通常の燃焼時の燃焼芯４の高さはあまり高くできず、高くすると異常燃焼を起こす恐れがある。この為、芯上下つまみ６の一連の操作で点火操作まで行なうものでは、燃焼芯４の上昇動作を止めてから点火ヒータが芯に接近する構成になっている。従って、前記の放電火花で着火する点火装置でも燃焼芯４の高さの上限は通常燃焼が行なわれる芯高さに限定しており、この芯高さの範囲で点火が行なわれるようになっている。
　【００１０】
　この発明は電源電圧が低下して放電火花が弱くなった時に、点火の確実性を向上する為に、点火操作時には通常の燃焼位置よりも燃焼芯４が高く上昇できるようにして、放電電極５・５ａによる点火位置を高くしたもので、点火位置に空気が流れ込み易くなって、燃焼筒が可動しない時のように新鮮な空気が入りにくい状態であっても、確実に着火できるようになったものである。
　【００１１】
　そして、芯上下つまみ６と連係する回動板９には戻しバネ８とロック部１０を設けたから、点火後に芯上下つまみ６から手を離すと、消火バネ１０の力によって自動板９はロック部９ｂと係止するまで回動して燃焼芯４を下げるので、該燃焼芯４は最大燃焼位置に移動して通常燃焼が開始できるものである。
　【００１２】
　また、燃焼芯４を上げながら放電火花を発生する為に、この発明では通常燃焼位置を越えてはじめて、点火装置が作動を開始するようにしており、着火後に燃焼芯４が通常燃焼位置に戻ってきた時には、点火器スイッチ７も開路となっているから、芯上げ時と芯下げ時の点火器スイッチ７の開閉切換位置を変化させる必要がない。
　【００１３】
　【実施例】
　以下、実施例を示す図により構成を説明すると、１は芯内筒、２は芯外筒、４は芯内・外筒１・２の間に収容した燃焼芯で、芯内・外筒１・２は下方の油タンク１１から上方に向けて取付けられている。３は燃焼芯４を保持する芯筒をレバー操作やラック・ピニオンギアの操作などで可動する芯上下軸であり、該芯上下軸３の回転操作によって燃焼芯４を上下させる。
　【００１４】
　３ａは芯上下軸３と一緒に回転する駆動レバー、６は芯上下軸３を回転操作する芯上下つまみであり、図１〜３及び図６の実施例では、レバー操作によって芯上下軸３を駆動する構造にかかるものである。６ａは芯上下つまみ６が一端に取付けられ、他端が駆動レバー３ａと係合してシーソー運動をするつまみレバーであり、芯上下つまみ６を押し下げるとつまみレバー６ａが駆動レバー３ａを回動させ、芯上下軸３が芯上げ方向に回転する。また、芯上下つまみ６を引き上げると、つまみレバー６ａと駆動レバー３ａとを介して芯上下軸３が回転し、燃焼芯４は芯下げ方向に移動する。
　【００１５】
　ダイヤル操作の芯上下装置を示す図７と図８の実施例では、芯上下つまみ６が直接芯上下軸３に取付けられており、芯上下つまみ６を回転すると芯上下軸３はラック・ピニオンギアを介して燃焼芯４を保持する芯筒を上昇させる。また、芯上下つまみ６を逆転すると、芯上下軸３は芯筒を下降して燃焼芯４を消火位置に移動する。従って、芯上下つまみ６の操作によって燃焼芯４を上下させることができる。
　【００１６】
　１４は芯内・外筒１・２の上部に設けた燃焼筒で、内・外炎筒および外筒で構成しており、上昇した燃焼芯４の上端は内・外炎筒間隙内の下部に突出し、前記油タンク１１内の燃料は燃焼芯４で吸い上げられ、該燃焼芯４の先端に点火すると燃焼筒１４内で燃焼を開始するものである。
　【００１７】
　９は芯上下つまみ６と連係して回転する回動板、９ａは芯上下つまみ６と回動板９との間に設けた係止部、８は回動板９と石油燃焼器の本体部品との間に取付けた戻しバネ、１０は回動板９を芯下げ方向に駆動しようとする戻しバネ８の力に抗して回動板９を係止するロック部である。
　【００１８】
　図１〜３及び図６のレバー操作によって芯上下軸３を駆動する実施例において、回動板９はシーソー運動をするつまみレバー６ａと同じ回転中心となるように配置してあり、芯上下つまみ６を芯上げ操作の為に押し下げると、芯上下つまみ６を取付けたつまみレバー６ａが回動板９の係止部９ａを押して、戻しバネ８を伸ばしながら一緒に回動する。
　【００１９】
　やがて燃焼芯４が上昇して回動板９がロック部１０に係止すると、戻しバネ８は蓄力した位置を保持するので、芯上下つまみ６から手を離してもつまみレバー６ａは戻ることがない。この状態では芯上下つまみ６を多少上下することで芯の高さが代わり、燃焼中であれば燃焼量の調節ができる。また、何等かの手段によってロック部１０の係止が外れると、戻しバネ８は回動板９の係止部９ａを介してつまみレバー６ａを芯下げ方向に回動し、燃焼芯４を強制的に消火位置に復帰させる。
　【００２０】
　ダイヤル操作の芯上下装置を示す図７と図８の実施例では、レバー操作の実施例で示すつまみレバー６ａがないので、回動板９は芯上下軸３と同心に配置されている。芯上下つまみ６が芯上下軸３を回転すると、駆動レバー３ａが回動板９の係止部９ａを押して一緒に回転し、燃焼芯４を上昇させながら戻しバネ８に蓄力すると共に、燃焼芯４の上昇位置で回動板９がロック部１０に係止するものである。
　【００２１】
　５・５ａは燃焼芯４の側面或いは上縁部に対向して設けられた放電電極で、一方の放電電極５（プラス側）の先端は上方に折曲げて燃焼位置に上昇した時の燃焼芯４の側面近傍にのぞませ、他方の放電電極５ａ（マイナス側）は燃焼芯４を最大突出位置に上昇せしめた時の燃焼芯４の上縁近傍に設け、放電電極５の先端と間隙を介して対向せしめると良い。
　【００２２】
　７は放電電極５・５ａへの電気を流す点火器スイッチであり、燃焼芯４の消火位置では開路となっており、最大突出位置に向かって燃焼芯４が上昇する途中から閉路となり、放電電極５・５ａの間隙で放電を開始する。この為、燃焼芯４は放電火花が発生している付近を上昇するから、放電電極５・５ａと燃焼芯４との関係が放電着火に好適位置となった時に着火するものであり、燃焼芯４の先端の状態が使用にしたがって変化しても、確実に着火できる効果を狙っている。
　【００２３】
　一般に芯上下式の石油燃焼器では燃焼筒１４内に突出する燃焼芯４が高過ぎると異常燃焼を起こすから、最大突出位置と最大燃焼位置の燃焼芯４の高さを一致させており、放電電極５・５ａを用いて点火する点火装置でも、点火時の芯高さは最大燃焼位置まで上昇できる芯上下装置と組み合わせて行なわれてきた。しかし、従来例として現在提案されているこの種の点火装置は性能的に不満足であり、何等かの対応が必要であった。
　【００２４】
　この発明は性能的に不満足な放電火花で着火する点火装置の性能向上の為に、はじめて点火時の燃焼芯の高さを検討したもので、点火ヒータに代わって放電火花で着火する為には、放電火花による点火位置を正常な燃焼時の芯高さよりも更に高い芯高さ位置とすることが、良好な着火の為の重要な要件であることを見い出したものである。そして、この重要な要件を実施する為に、放電式点火装置の構造に最適な具体性を持った実施構造を提案するものである。
　【００２５】
　即ち、戻しバネ８が取付けられた回動板９は芯上下軸３を芯下げ方向に駆動する回転力が付勢されており、この力を燃焼芯４の最大燃焼位置で保持するロック装置を設け、このロック部１０の構造として、芯上下つまみ６によって回動板９を回転する時には、ロック部１０を越えて更に回転できる構造に特定するものである。そして、点火操作を終わって芯上下つまみ６から手を離した時には、回動板９は戻しバネ８によってロック部１０まで逆回転し、最大突出位置に上昇していた燃焼芯４は正常燃焼が可能な最大燃焼位置まで瞬時に降下して、燃焼を継続しようとするものである。
　【００２６】
　この構造とすることによって燃焼芯４は正常燃焼ができる最大燃焼位置よりも高い芯高さで着火操作が行なわれ、当然放電電極５・５ａの取付位置は芯内・外筒１・２の受部から上方に離れることができるので、燃焼筒１４のような狭い空間であっても、放電火花の下部に空気が流入し易くなるものである。
　【００２７】
　そして、使い古した乾電池などのように電源電圧が降下した時には、放電火花のエネルギーが弱い為に、放電火花の周囲が白い石油蒸気に覆われて着火できなくなるが、この発明では放電火花によって放電電極５・５ａの付近のガスが暖められることによって、上昇するガス流が生まれて放電火花の下部にスムーズに空気が流入できる構造としたから、白い石油蒸気は上方へ流れて石油ガスが薄められ、石油ガスと空気は点火に最適な混合比が得られるから、着火が確実に行なわれるものである。
　【００２８】
　一方、固定した位置で放電火花を発生させながら、燃焼芯４を通常燃焼位置に上昇させることが放電着火の点火装置として有効手段であることは従来から知られている。この為、この発明では燃焼芯４が最大燃焼位置よりも高い最大突出位置まで突出しながら放電火花による点火が行なわれる上記構造に着目し、この点火方法を応用して、点火器スイッチ７は燃焼芯４が消火位置から最大燃焼位置まで上昇する過程では開路を維持し、燃焼芯４が最大燃焼位置を越えてから閉路となって放電電極５・５ａから放電火花を発生するようにし、燃焼芯４は高さを変化しながら、放電着火に好適位置を通過した時に着火できるようにしている。
　【００２９】
　この構造のように点火器スイッチ７の開閉位置を特定することによって、正常燃焼の範囲と点火操作の範囲が独立して設定できるようになり、点火操作が終了した時には戻しバネ８によって正常の燃焼の範囲に戻るから、この時には点火器スイッチ７も開路に設定できたものである。従って、燃焼範囲と点火範囲が重ね合う従来例のように、点火器スイッチ７が閉路となる芯上昇時の燃焼芯４の位置と、開路とする燃焼芯の位置を異ならせる必要はなくなり、点火器スイッチ７の開閉構造が非常に簡単になるものである。
　【００３０】
　具体的な点火器スイッチ７の開閉構造としては、図１と図２の実施例の点火器スイッチ７は駆動レバー３ａの動きでスイッチを開閉するものであり、また、図６の点火器スイッチ７は回動板９の動きでスイッチを開閉している。また、図７と図８はダイヤル操作の実施例であり、回動板９の係止部９ａの動きで点火器スイッチ７のスイッチを開閉している。
　【００３１】
　１２は地震等の振動を感知する対震装置、１２ａは対震装置１２の振動検出部を構成する感震おもり、１３は対震装置１２の感震おもり１２ａの基台を兼ねる芯上下装置の基板であり、基板１３には対震装置１２を始めとして芯上下軸３・芯上下つまみ６・回動板９・点火器スイッチ７を組み込んでいる。
　【００３２】
　実施例の対震装置１２は前記ロック部１０を可動する構成となっており、強い振動を感震おもり１２ａが感知した時、ロック部１０と回動板９との係合を外すので、戻しバネ８の力によって回動板９が回転し、燃焼芯４は燃焼位置から消火位置まで降下して、石油燃焼器が自動消火する構成となっている。
　【００３３】
　【発明の効果】
　本発明は、以上のような構成・作用を有するもので、放電火花による点火位置は正常燃焼する最大燃焼位置よりも更に燃焼芯４を高く上昇させた位置とし、
一方の放電電極を燃焼芯の側面近傍にのぞませ、他方の放電電極を一方の放電電極の上方で且つ燃焼芯を最大突出位置に上昇せしめたときの燃焼芯の上縁近傍に設け
　【００３４】
　また、点火器スイッチ７の開閉構造は、燃焼芯４が最大燃焼位置を越えた位置から最大突出位置の間で閉路となるように構成したから、正常燃焼の範囲と点火操作の範囲が独立して設定できるようになり、点火操作が終了した時には戻しバネ８によって正常の燃焼の範囲に戻ることを利用して、点火器スイッチ７の開位置と閉位置とを同じにするもので、点火器スイッチ７の開閉構造が非常に簡単になり、調整個所がほとんどなくなり、製造しやしくなったものである。
　【００３５】
　また、正常燃焼の範囲と点火操作の範囲が独立して設定できたから、点火に失敗した時や、点火できても戻しバネ８の力で燃焼芯４が瞬時に降下する時に消えてしまっても、そのまま再び芯上下つまみ６を操作すれば直ちに点火操作ができるようになったから、使い勝手が非常によくなったものである。
【図面の簡単な説明】
　【図１】
　レバー操作による本発明品の実施例を示す要部の正面図である。
　【図２】
　図１に示す実施例の要部を示す平面図である。
　【図３】
　本発明品を装置した石油燃焼器の要部断面図である。
　【図４】
　本発明となる放電電極部分の要部拡大断面図である。
　【図５】
　本発明となる放電電極部分の要部平面図である。
　【図６】
　レバー操作による本発明品の他の実施例を示す要部の正面図である。
　【図７】
　ダイヤルつまみによる本発明品の実施例を示す要部の正面図である。
　【図８】
　図７に示す実施例の要部の一部切り欠き平面図７ある。
　【符号の説明】
　　１　芯内筒
　　２　芯外筒
　　３　芯上下軸
　　４　燃焼芯
　　５　放電電極
　　５ａ　放電電極
　　６　芯上下つまみ
　　７　点火器スイッチ
　　８　戻しバネ
　　９　回動板
　　９ａ　係止部
　１０　ロック部